Podtech/llm-jp-corpus-v4-ja_patent huggingface dataset:
【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
ヒドロキシチロソルの含量が少なくとも３０ｐｐｍであり、アルデヒド形のオレウロペインアグリコンの含量が１２０ｐｐｍ未満であることを特徴とする、Ｋ２２５値が０．２８以下の食用油である栄養製品。
【請求項２】
ヒドロキシチロソルを３０ｐｐｍ〜３００ｐｐｍ、好ましくは５０ｐｐｍ〜６０ｐｐｍ含有する請求項１記載の栄養製品。
【請求項３】
ヒドロキシチロソルを３００ｐｐｍ〜３００００ｐｐｍ含有する請求項１記載の栄養製品。
【請求項４】
前記食用油は植物油であり、好ましくは、バージンオリーブオイル、エキストラバージンオリーブオイル、オリーブオイル、ランパンテオリーブオイル、精製オリーブオイル、粗製オリーブ搾り滓オイル、精製オリーブ搾り滓オイル、ヒマワリ油、トウモロコシ油、大豆油、亜麻仁油、扁桃油、キャノーラ油、サフラワー油、パーム油、ココヤシ油、菜種油、前記油類の技術的に変性された誘導体類及び前記のものの２種類以上の混合物から選択される請求項１〜３の何れかに記載の栄養製品。
【請求項５】
前記食用油は海産物油又は魚油であり、好ましくは、藻類、オキアミ、大型ニシン、アンチョビ、マグロ、ニシン、サーディン、サバ、タラから得られた海産物油又は魚油、前記油類の技術的に変性された誘導体類又は前記のものの２種類以上の混合物である請求項１〜３の何れかに記載の栄養製品。
【請求項６】
請求項１〜５の何れかに記載の食用油を含有する食料品であり、ヒドロキシチロソルを３０ｐｐｍ〜３００ｐｐｍ含有する栄養製品。
【請求項７】
好ましくはマーガリン、マヨネーズ、ガーリックマヨネーズ、ガスパーチョスープ、塗り広げ可能なソース、サラダドレッシングから選択される請求項６記載の栄養製品。
【請求項８】
請求項３による食用油を封入したソフトジェルカプセルの形をした栄養補助食品である栄養製品。
【請求項９】
心臓血管系疾患の予防又は治療用である請求項１〜８の何れかに記載の栄養製品。
【請求項１０】
動脈内へのプラーク堆積の予防又は治療用である請求項１〜８の何れかに記載の栄養製品。
【請求項１１】
メタボリック症候群の予防又は治療用である請求項１〜８の何れかに記載の栄養製品。
【請求項１２】
動脈性高血圧症の予防又は治療用である請求項１〜８の何れかに記載の栄養製品。
【請求項１３】
ヒドロキシチロソル含有水溶液を前記オイルと混合し、そして水相をデカントして除くことからなり、場合により乳化剤の存在下で、かつ、場合により均質化処理を行う、請求項１〜１２の何れかに記載の栄養製品の製造方法。
【請求項１４】
前記均質化処理は第１ステージ及び第２ステージで行い、前記第１ステージは２００〜７００バールの圧力で行われ、前記第２ステージは３０〜５０バールの圧力で行われ、好ましくは、前記第１ステージは３００〜５００バールの圧力で行われ、前記第２ステージは３０〜３５バールの圧力で行われる請求項１３記載の方法。
【請求項１５】
前記食用油は、１．５−２５ｍｇのヒドロキシチロソルを含有する
請求項１〜８の何れかに記載の栄養製品。
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
配列番号３に記載されるアミノ酸配列（Ｒ１−Ａｒｇ−Ｍｅｔ−Ａｌａ−Ｐｒｏ−Ｇｌｕ−Ｇｌｕ−Ｉｌｅ−Ｉｌｅ−Ｍｅｔ−Ａｓｐ−Ａｒｇ−Ｐｒｏ−Ｐｈｅ−Ｌｅｕ−Ｐｈｅ−Ｖａｌ−Ｖａｌ−Ａｒｇ−Ｒ２）を有する単離されたペプチドまたはその断片であって、Ｒ１は、水素、アセチル、アルキル、およびアミノ保護基からなる群から選択され、Ｒ２はカルボキシル、アミド、アルコール、エステル、およびカルボキシル保護基からなる群から選択され、前記断片は、アミノ酸配列  Ｇｌｕ−Ｇｌｕ−Ｉｌｅ−Ｉｌｅ−Ｍｅｔ−Ａｓｐを含む７〜１７のアミノ酸残基からなる単離されたペプチドまたはその断片。
【請求項２】
配列番号１および４〜６からなる群から選択されるアミノ酸配列を有する請求項１記載のペプチドまたはその断片。
【請求項３】
配列番号１に記載されるアミノ酸配列を有する請求項１記載のペプチドまたはその断片。
【請求項４】
配列番号３に記載されるアミノ酸配列（Ｒ１−Ａｒｇ−Ｍｅｔ−Ａｌａ−Ｐｒｏ−Ｇｌｕ−Ｇｌｕ−Ｉｌｅ−Ｉｌｅ−Ｍｅｔ−Ａｓｐ−Ａｒｇ−Ｐｒｏ−Ｐｈｅ−Ｌｅｕ−Ｐｈｅ−Ｖａｌ−Ｖａｌ−Ａｒｇ−Ｒ２）を有する単離されたペプチドまたはその断片を含む医薬組成物であって、Ｒ１は、水素、アセチル、アルキル、およびアミノ保護基からなる群から選択され、Ｒ２は、カルボキシル、アミド、アルコール、エステル、およびカルボキシル保護基からなる群から選択され、前記断片は、アミノ酸配列  Ｇｌｕ−Ｇｌｕ−Ｉｌｅ−Ｉｌｅ−Ｍｅｔ−Ａｓｐを含む７〜１７のアミノ酸残基からなり、前記医薬組成物は、薬剤的に許容できる担体をさらに含む医薬組成物。
【請求項５】
前記ペプチドは、配列番号１および４〜６からなる群から選択されるアミノ酸配列を有する請求項４記載の医薬組成物。
【請求項６】
前記ペプチドは、配列番号１に記載されるアミノ酸配列を有する請求項５記載の医薬組成物。
【請求項７】
神経損傷を有する、またはこれを有するリスクを有している被験者において神経障害を減少させるための医薬組成物であって、治療的有効量の、配列番号７記載のアミノ酸配列（Ｒ１−Ａｒｇ−Ｍｅｔ−Ａｌａ−Ｐｒｏ−Ｇｌｕ−Ｇｌｕ−Ｉｌｅ−Ｉｌｅ−Ｍｅｔ−Ａｓｐ−Ａｒｇ−Ｐｒｏ−Ｐｈｅ−Ｌｅｕ−Ｘ１−Ｖａｌ−Ｖａｌ−Ａｒｇ−Ｒ２）を有する単離されたペプチドまたはその断片を含み、
Ｒ１は、水素、アセチル、アルキル、およびアミノ保護基からなる群から選択され、Ｘ１は、ＴｙｒおよびＰｈｅからなる群から選択され、Ｒ２は、カルボキシル、アミド、アルコール、エステル、およびカルボキシル保護基からなる群から選択され、前記断片は、配列  Ｇｌｕ−Ｇｌｕ−Ｉｌｅ−Ｉｌｅ−Ｍｅｔ−Ａｓｐを含む７〜１７のアミノ酸残基からなり、前記医薬組成物は、薬剤的に許容できる担体をさらに含む医薬組成物。
【請求項８】
神経損傷を有する、またはこれを有するリスクを有している被験者において神経障害を減少させるための医薬組成物であって、治療的有効量の線維素溶解薬および配列番号７に記載されるアミノ酸配列（Ｒ１−Ａｒｇ−Ｍｅｔ−Ａｌａ−Ｐｒｏ−Ｇｌｕ−Ｇｌｕ−Ｉｌｅ−Ｉｌｅ−Ｍｅｔ−Ａｓｐ−Ａｒｇ−Ｐｒｏ−Ｐｈｅ−Ｌｅｕ−Ｘ１−Ｖａｌ−Ｖａｌ−Ａｒｇ−Ｒ２）を有する単離されたペプチドまたはその断片を含み、Ｒ１は、水素、アセチル、アルキル、およびアミノ保護基からなる群から選択され、Ｘ１は、ＴｙｒおよびＰｈｅからなる群から選択され、Ｒ２は、カルボキシル、アミド、アルコール、エステル、およびカルボキシル保護基からなる群から選択され、前記断片は、配列  Ｇｌｕ−Ｇｌｕ−Ｉｌｅ−Ｉｌｅ−Ｍｅｔ−Ａｓｐを含む７〜１７のアミノ酸残基からなり、前記医薬組成物は、薬剤的に許容できる担体をさらに含む医薬組成物。
【請求項９】
前記ペプチドは、配列番号１、２、４〜６、８〜１０からなる群から選択されるアミノ酸配列を有する請求項７または８記載の医薬組成物。
【請求項１０】
前記ペプチドは、配列番号１に記載されるアミノ酸配列を有する請求項９記載の医薬組成物。
【請求項１１】
前記ペプチドは、配列番号２記載のアミノ酸配列を有する請求項９記載の医薬組成物。
【請求項１２】
前記線維素溶解薬は、ｔＰＡ、ｕＰＡ、ｓｃｕＰＡ、ｔｃｕＰＡ、ストレプトキナーゼ、ｒｔ−ＰＡ、アルテプラーゼ、レテプラーゼ、ラノテプラーゼ、ＴＮＫ−ｒｔ−ＰＡ、アニソイル化プラスミノーゲンストレプトキナーゼ複合体、アニストレプラーゼ、およびこれらの誘導体からなる群から選択される請求項８記載の医薬組成物。
【請求項１３】
前記神経損傷は、脳卒中、脳障害、脊髄障害、脳手術、心臓手術、および神経障害に起因する請求項７または８記載の医薬組成物。
【請求項１４】
前記神経障害は、アルツハイマー病、ハンチントン病、パーキンソン病、および筋萎縮性側索硬化症からなる群から選択される請求項１３記載の医薬組成物。
【請求項１５】
被験者における線溶療法のための医薬組成物であって、治療的有効量の線維素溶解薬および配列番号７に記載されるアミノ酸配列（Ｒ１−Ａｒｇ−Ｍｅｔ−Ａｌａ−Ｐｒｏ−Ｇｌｕ−Ｇｌｕ−Ｉｌｅ−Ｉｌｅ−Ｍｅｔ−Ａｓｐ−Ａｒｇ−Ｐｒｏ−Ｐｈｅ−Ｌｅｕ−Ｘ１−Ｖａｌ−Ｖａｌ−Ａｒｇ−Ｒ２）を有する単離されたペプチドまたはその断片を含み、Ｒ１は、水素、アセチル、アルキル、およびアミノ保護基からなる群から選択され、Ｘ１は、ＴｙｒおよびＰｈｅからなる群から選択され、Ｒ２は、カルボキシル、アミド、アルコール、エステル、およびカルボキシル保護基からなる群から選択されるが、ただし、配列番号２に記載されるペプチドは除かれ、前記断片は、配列  Ｇｌｕ−Ｇｌｕ−Ｉｌｅ−Ｉｌｅ−Ｍｅｔ−Ａｓｐを含む７〜１７のアミノ酸残基からなり、前記医薬組成物は、薬剤的に許容できる担体をさらに含む医薬組成物。
【請求項１６】
前記ペプチドは、配列番号１、４〜６、８〜１０からなる群から選択されるアミノ酸配列を有する請求項１５記載の医薬組成物。
【請求項１７】
前記線維素溶解薬は、ｔＰＡ、ｕＰＡ、ｓｃｕＰＡ、ｔｃｕＰＡ、ストレプトキナーゼ、ｒｔ−ＰＡ、アルテプラーゼ、レテプラーゼ、ラノテプラーゼ、ＴＮＫ−ｒｔ−ＰＡ、アニソイル化プラスミノーゲンストレプトキナーゼ複合体、アニストレプラーゼ、およびこれらの誘導体からなる群から選択される請求項１５記載の医薬組成物。
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
活性成分としてのレルカニジピンまたは製薬上許容可能なその塩、誘導体、および多形体と、バイオアベイラビリティを高めおよび／または溶解度を改善するためのＡｅｒｏｓｉｌ（商標）などの５から２５重量％の量のコロイド状二酸化ケイ素とを含むことを特徴とする経口投与用の医薬組成物。
【請求項２】
コロイド状二酸化ケイ素を７から２０重量％含むことを特徴とする請求項１に記載の医薬組成物。
【請求項３】
レルカニジピンまたは製薬上許容可能なその塩、誘導体、および多形体を、３から２５重量％、好ましくは５から１０重量％、より好ましくは約８重量％含むことを特徴とする請求項１に記載の医薬組成物。
【請求項４】
レルカニジピンまたは製薬上許容可能なその塩、誘導体、および多形体と、コロイド状二酸化ケイ素との重量比は、１０／１から１／６０であることを特徴とする請求項１に記載の医薬組成物。
【請求項５】
結合剤、好ましくはポリビニルピロリドン（ＰＶＰ）を含み、前記結合剤は、５から２０重量％の量で、好ましくは約１５重量％までの量で存在することを特徴とする請求項１に記載の医薬組成物。
【請求項６】
崩壊剤、好ましくはデンプングリコール酸ナトリウムを含み、前記崩壊剤は、５から１５重量％、好ましくは約１０重量％の量で存在することを特徴とする請求項１に記載の医薬組成物。
【請求項７】
湿潤剤、好ましくはポリオキシエチレン−ポリオキシプロピレンコポリマー（ポロキサマー）を含み、前記湿潤剤は、５重量％まで、好ましくは約２．５重量％の量で存在することを特徴とする請求項１に記載の医薬組成物。
【請求項８】
希釈剤、好ましくは微結晶性セルロースおよび／またはラクトース、より好ましくはその一水和物形態を含み、前記希釈剤は、４０から６５重量％、好ましくは４５から６０重量％の量で存在することを特徴とする請求項１に記載の医薬組成物。
【請求項９】
内相および外相を含むことを特徴とする請求項１に記載の医薬組成物。
【請求項１０】
前記外相は、ステアリン酸マグネシウムを含み、好ましくはステアリン酸マグネシウムからなることを特徴とする請求項１３に記載の医薬組成物。
【請求項１１】
レルカニジピンは、塩酸塩形態で、好ましくは結晶で存在することを特徴とする請求項１に記載の医薬組成物。
【請求項１２】
塩酸レルカニジピン、ラクトース一水和物、微結晶性セルロース、デンプングリコール酸ナトリウム、ポリビニルピロリドン、コロイド状二酸化ケイ素、ポリオキシエチレン−ポリオキシプロピレンコポリマー、ステアリン酸マグネシウムを含有することを特徴とする請求項１に記載の医薬組成物。
【請求項１３】
錠剤、カプセル、またはサッシェなどの固体剤形であることを特徴とする請求項１に記載の医薬組成物。
【請求項１４】
各固体剤形は、塩酸レルカニジピンを７から９ｍｇ、または１４から１８ｍｇ、好ましくは塩酸レルカニジピンを約８ｍｇまたは約１６ｍｇ含有することを特徴とする請求項１３に記載の医薬組成物。
【請求項１５】
塩酸レルカニジピンを約１６ｍｇ、ラクトース一水和物を約８０ｍｇ、微結晶性セルロースを約１６ｍｇ、デンプングリコール酸ナトリウムを約２０ｍｇ、ポリビニルピロリドンを約３０ｍｇ、コロイド状二酸化ケイ素を約３１ｍｇ、ポリオキシエチレン−ポリオキシプロピレンコポリマーを約５ｍｇ、ステアリン酸マグネシウムを約２ｍｇ含有することを特徴とする請求項１に記載の医薬組成物。
【請求項１６】
塩酸レルカニジピンを約８ｍｇ、ラクトース一水和物を約４５ｍｇ、微結晶性セルロースを約８ｍｇ、デンプングリコール酸ナトリウムを約１０ｍｇ、ポリビニルピロリドンを約１０ｍｇ、コロイド状二酸化ケイ素を約１５．５０ｍｇ、ポリオキシエチレン−ポリオキシプロピレンコポリマーを約２．５ｍｇ、ステアリン酸マグネシウムを約１ｍｇ含有することを特徴とする請求項１に記載の医薬組成物。
【請求項１７】
レルカニジピン、好ましくは塩酸レルカニジピンのバイオアベイラビリティを、好ましくは１５〜２５％増加させるための、前記請求項のいずれかに記載の製剤の使用。
【請求項１８】
活性成分としてのレルカニジピンまたは製薬上許容可能なその塩と、バイオアベイラビリティを高めるための有効量のＡｅｒｏｓｉｌ（商標）などのコロイド状二酸化ケイ素とを含有する錠剤、カプセル、またはサッシェなどの経口投与用の固体剤形を調製するための方法であって、
前記活性成分の総量、前記コロイド状二酸化ケイ素の総量の一部、および結合剤を、水／ＥｔＯＨ溶媒に溶解するステップと、
形成された溶液に、コロイド状二酸化ケイ素の残りの部分、ならびに希釈剤、結合剤、崩壊剤、流動促進剤、潤滑剤、および湿式造粒剤などの任意の賦形剤を添加するステップと、
ポロキサマーなどの湿潤剤を、少量の水／ＥｔＯＨ溶媒に溶解し、第１の溶液と共に混練するステップと、
湿潤塊を乾燥させるステップと、
乾燥した塊を篩にかけ、篩にかけた混合物に、結合剤、希釈剤、崩壊剤、潤滑剤、および／または流動促進剤などの少なくとも１種の任意の賦形剤の総量を添加し、均一になるまで混合するステップと、
得られた混合物を、所望の錠剤形態に圧縮することによって、またはカプセルもしくサッシェに充填することによって、固体剤形に処方するステップと
を含むことを特徴とする方法。
【請求項１９】
請求項１８に記載の方法から得ることが可能であり、コロイド状二酸化ケイ素を５から２５重量％含むことを特徴とする固体剤形。
【手続補正書】
【提出日】平成23年6月30日(2011.6.30)
【手続補正１】
【補正対象書類名】明細書
【補正対象項目名】００５５
【補正方法】変更
【補正の内容】
【００５５】
【表７】
2010534253.tif 000001
【表８】
2010534253.tif 000002
【手続補正２】
【補正対象書類名】明細書
【補正対象項目名】００５６
【補正方法】変更
【補正の内容】
【００５６】
以上、本発明を要約すると以下のとおりである。
１．シス−１，１，１，４，４，４−ヘキサフルオロ−２−ブテンと２個以上の活性水素を有する低い相溶性の活性水素含有化合物とを含む発泡成形用組成物。
２．２個以上の活性水素を有する高度に相溶性の活性水素含有化合物をさらに含む上記１に記載の発泡成形用組成物。
３．低い相溶性の活性水素含有化合物がポリエステルポリオールである上記１に記載の発泡成形用組成物。
４．低い相溶性の活性水素含有化合物および前記高度に相溶性の活性水素含有化合物の両方がポリオールである上記１または２に記載の発泡成形用組成物。
５．低い相溶性の活性水素含有化合物がポリエステルポリオールであり、そして前記高度に相溶性の活性水素含有化合物がポリエーテルポリオールである上記４に記載の発泡成形用組成物。
６．有効量の上記１〜５のいずれか一項に記載の発泡成形用組成物と、適したポリイソシアネートとの反応から製造される独立気泡ポリウレタンまたはポリイソシアヌレートポリマー発泡体。
７．ポリマー発泡体が６．５フィート２−時間−°Ｆ／ＢＴＵ−インチより大きい初期Ｒ値を有する上記６に記載の独立気泡ポリウレタンまたはポリイソシアヌレートポリマー発泡体。
８．有効量の上記１〜５のいずれか一項に記載の発泡成形用組成物と、適したポリイソシアネートとを反応させる工程を含む独立気泡ポリウレタンまたはポリイソシアヌレートポリマー発泡体の製造方法。
【手続補正３】
【補正対象書類名】特許請求の範囲
【補正対象項目名】全文
【補正方法】変更
【補正の内容】
【特許請求の範囲】
【請求項１】
シス−１，１，１，４，４，４−ヘキサフルオロ−２−ブテンと２個以上の活性水素を有する低い相溶性の活性水素含有化合物とを含む発泡成形用組成物。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
トランス−１，１，１，４，４，４−ヘキサフルオロ−２−ブテンと２個以上の活性水素を有する活性水素含有化合物とを含む発泡成形用組成物。
【請求項２】
有効量の請求項１に記載の発泡成形用組成物と、適したポリイソシアネートとの反応から製造された独立気泡ポリウレタンまたはポリイソシアヌレートポリマー発泡体。
【請求項３】
有効量の請求項１に記載の発泡成形用組成物と、適したポリイソシアネートとを反応させる工程を含む独立気泡ポリウレタンまたはポリイソシアヌレートポリマー発泡体の製造方法。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
断熱ガラスユニットの二次シーラントとしての硬化性シリル基を含有するアクリラートポリマーの使用。
【請求項２】
断熱ガラスユニットの二次シーラントとしての、エチレン性不飽和基を有するアクリラートポリマー、Ｓｉ−Ｈ基を有する有機ケイ素物質およびヒドロシリル化触媒を含むアクリラートポリマー組成物の使用。
【請求項３】
硬化性シリル基を含有するアクリラートポリマーを含むことを特徴とする低ガス透過性を有する断熱ガラスユニット用二次シーラント。
【請求項４】
前記硬化性シリル基が、加水分解性シリル基であることを特徴とする請求項３に記載の二次シーラント。
【請求項５】
前記加水分解性シリル基が、ケイ素に結合したアルコキシ基を含有することを特徴とする請求項４に記載の二次シーラント。
【請求項６】
前記加水分解性シリル基が、式−ＳｉＲ’（ＯＲ）2（式中、Ｒは１から４個の炭素原子を有するアルキル基を示し、Ｒ’は１から６個の炭素原子を有するアルキルまたはアルケニル基を示す）のジアルコキシアルキルシリル基であることを特徴とする請求項５に記載の二次シーラント。
【請求項７】
前記二次シーラント組成物が、加水分解性シリル基の架橋剤としてトリアルコキシシランまたはジアルコキシシランを含有すること、および／または加水分解性シリル基の縮合用触媒としてチタナートを含有することを特徴とする請求項４〜６のいずれか一項に記載の二次シーラント。
【請求項８】
前記硬化性シリル基が、ＳｉＨ基であり、かつ前記二次シーラント組成物が、少なくとも２個のエチレン性不飽和基を有する架橋剤と、ヒドロシリル化触媒とを含有することを特徴とする請求項３に記載の二次シーラント。
【請求項９】
前記アクリラートポリマーが、末端硬化性シリル基を有するテレケリックポリマーであることを特徴とする請求項３〜８のいずれか一項に記載の二次シーラント。
【請求項１０】
前記アクリラートポリマーが、末端硬化性シリル基を有するポリブチルアクリラートであることを特徴とする請求項９に記載の二次シーラント。
【請求項１１】
エチレン性不飽和基を有するアクリラートポリマーと、ＳｉＨ基を含有する有機ケイ素物質と、ヒドロシリル化触媒とを含むアクリラートポリマー組成物であることを特徴とする低ガス透過性を有する断熱ガラスユニット用二次シーラント。
【請求項１２】
スペーサーにより離されて保持された２枚の板ガラスを含み、該スペーサーの外側の該板ガラス端部の間に二次シーラントを有し、該二次シーラントが、硬化性シリル基を含有するアクリラートポリマーを含むか、またはエチレン性不飽和基を有するアクリラートポリマーと、ＳｉＨ基を含有する有機ケイ素物質と、ヒドロシリル化触媒とを含むアクリラートポリマー組成物を含むことを特徴とする封止された断熱ガラスユニット。
【請求項１３】
前記スペーサーが、熱可塑性物質であることを特徴とする請求項１２に記載の封止された断熱ガラスユニット。
【請求項１４】
前記スペーサーが、ポリイソブチレンであることを特徴とする請求項１３に記載の封止された断熱ガラスユニット。
【請求項１５】
断熱ガラスユニットにおいて硬化により二次シーラントを形成する二次シーラント組成物における、硬化性シリル基を含有するアクリラートポリマーの使用。
【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
直接打錠可能なデキストロース組成物を調製するための乾式造粒方法であって、以下：  粉末形態の出発デキストロース組成物を準備する工程であって、前記出発デキストロース組成物がデキストロースを５０〜１００重量％含む工程；
圧縮ロールを用いてフレークを形成させるローラー圧縮により、あるいはシングルパンチまたはロータリー式の打錠機を用いてスラッグを形成させるスラッギングにより、前記出発デキストロース組成物を圧縮する工程；
前記フレークまたは前記スラッグを粉砕して顆粒を形成させる工程；および
前記顆粒をスクリーニングして、所与の粒度分布を有する顆粒形態の直接打錠可能なデキストロース組成物を得る工程、
を含む、乾式造粒方法。
【請求項２】
前記ロールの圧力が３０〜１５０ｂａｒの範囲にある、請求項１に記載の乾式造粒方法。
【請求項３】
前記ロールの間隙が０．５〜５ｍｍの範囲にある、請求項１または２に記載の乾式造粒方法。
【請求項４】
顆粒を、最後のスクリーンのメッシュサイズが０．１〜１．８ｍｍである１枚または複数枚のスクリーンによってふるい分け、場合により、顆粒を、１．０〜３．０ｍｍのメッシュサイズを有する最初のスクリーンによってふるい分ける、請求項１〜３のいずれか一項に記載の乾式造粒方法。
【請求項５】
錠剤形態の医薬製剤を調製するための直接打錠方法であって、以下：
請求項１〜４のいずれか一項に記載の方法を行うことによって直接打錠可能なデキストロース組成物を準備する工程；
前記直接打錠可能なデキストロース組成物を１種または複数種の有効成分とブレンドしてブレンド物を得る工程；および
前記ブレンド物を圧縮して錠剤形態にする工程、
を含む、方法。
【請求項６】
前記直接打錠可能なデキストロース組成物をさらに、１種または複数種の賦形剤とブレンドする、請求項５に記載の直接打錠方法。
【請求項７】
ブレンド物が、直接打錠可能なデキストロース組成物を少なくとも２０重量％含む、請求項５または６に記載の直接打錠方法。
【請求項８】
錠剤形態の食品製剤を調製するための直接打錠方法であって、以下：
請求項１〜４のいずれか一項に記載の方法を行うことによって直接打錠可能なデキストロース組成物を準備する工程；
前記直接打錠可能なデキストロース組成物を１種または複数種の食品成分とブレンドしてブレンド物を得る工程；および
前記ブレンド物を圧縮して錠剤形態にする工程、
を含む、直接打錠方法。
【請求項９】
ブレンド物が、直接打錠可能なデキストロース組成物を少なくとも２０重量％含む、請求項８に記載の直接打錠方法。
【請求項１０】
乾式造粒とその後に続く圧縮によって錠剤形態の医薬製剤を調製するための方法であって、以下：
請求項１〜５のいずれか一項に記載の方法を行うことによって直接打錠可能なデキストロース組成物を準備する工程であって、出発デキストロース組成物が、少なくとも２０重量％のデキストロース、１〜８０重量％の有効成分、および０〜７９重量％の１種または複数種の賦形剤を含む工程；
前記直接打錠可能なデキストロース組成物を圧縮して錠剤形態にする工程、
を含み、場合により前記直接打錠可能なデキストロース組成物を１種または複数種の賦形剤とブレンドする工程をさらに含む、方法。
【請求項１１】
少なくとも９５重量％のデキストロースを含み、少なくとも２％、好ましくは少なくとも７％、より好ましくは１２％までの含水率の直接打錠可能なデキストロース組成物。
【請求項１２】
５５０〜７５０ｇ／Ｌのかさ密度を有することを特徴とする請求項１１に記載の直接打錠可能なデキストロース組成物。
【請求項１３】
１１〜１７％の圧縮度（ｃｏｍｐｒｅｓｓｉｂｉｌｉｔｙ  ｉｎｄｅｘ）を有することを特徴とする請求項１１または１２に記載の直接打錠可能なデキストロース組成物。
【請求項１４】
請求項１１〜１３のいずれか一項に記載の直接打錠可能なデキストロース組成物を含む医薬製剤であって、好ましくは固形剤形である、医薬製剤。
【請求項１５】
請求項１１〜１３のいずれか一項に記載の直接打錠可能なデキストロース組成物を含む錠剤であって、圧縮力２０．０ｋＮにおいて１．５〜４．０Ｎ／ｍｍ２の引張り強さを有することを特徴とする錠剤。
【請求項１６】
請求項１１〜１３のいずれか一項に記載の直接打錠可能なデキストロース組成物を含む食品製剤。
【請求項１７】
前記食品製剤が、錠剤、ロゼンジ、および棒付きキャンデーの形態である、請求項１６に記載の食品製剤。
【請求項１８】
医薬製剤または食品製剤の調製のための、請求項１１〜１３のいずれか一項に記載の直接打錠可能なデキストロース組成物の使用。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
式(I):
【化１】
2010534699.tif 000001
[式中、Rは、水素またはC1〜C4アルキルである]
の化合物を含む、小児腫瘍の治療のための薬物。
【請求項２】
Rが水素またはメチルである、請求項1に記載の薬物。
【請求項３】
小児腫瘍が、横紋筋肉腫、原始神経外胚葉性腫瘍(PNET)、及び神経芽細胞腫からなる群から選択される、頭部及び頚部の癌腫である、請求項1または2に記載の薬物。
【請求項４】
式(I):
【化２】
2010534699.tif 000002
[式中、Rは、水素またはC1〜C4アルキルである]
の化合物を、薬学的に許容できる担体及び/または賦形剤と混合するステップを含む、小児腫瘍の治療のための医薬組成物を調製するための方法。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
配列番号１、配列番号２、配列番号３、配列番号４、及び配列番号５からなる群から選択されるアミノ酸配列を含むカチオン性ペプチドを含む組成物。
【請求項２】
カチオン性ペプチドが配列番号１のアミノ酸配列からなる、請求項１に記載の組成物。
【請求項３】
カチオン性ペプチドが配列番号２のアミノ酸配列からなる、請求項１に記載の組成物。
【請求項４】
カチオン性ペプチドが配列番号３のアミノ酸配列からなる、請求項１に記載の組成物。
【請求項５】
カチオン性ペプチドが配列番号４のアミノ酸配列からなる、請求項１に記載の組成物。
【請求項６】
カチオン性ペプチドが配列番号５のアミノ酸配列からなる、請求項１に記載の組成物。
【請求項７】
局所用組成物である、請求項２〜６のいずれかに記載の組成物。
【請求項８】
請求項２〜７のいずれかに記載の組成物とディスペンサーとを含む、組成物投与用キット。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
ヨード化されたナノ粒子造影剤結晶であって、前記ナノ粒子の50％が100ナノメーター以下の直径であり、前記ナノ粒子の90％が200ナノメーター以下の直径である粒子サイズ分布を有し、前記造影剤が6-エトキシ-6-オキソヘキシ-3,5-ビス（アセチルアミノ）-2,4,6-トリヨードベンゾエートであるナノ粒子造影剤結晶を含む組成物。
【請求項２】
前記ナノ粒子の50％以下が約70ナノメーター未満の直径であり、前記ナノ粒子の100％が約400ナノメーター未満の直径である粒子サイズ分布をさらに有する、請求項１に記載の組成物。
【請求項３】
PCSにより測定されると約100ナノメーターから約150ナノメーターの間であり、または、XDCにより測定されると約80ナノメーターから約100ナノメーターの間の平均粒子サイズをさらに有する、請求項１に記載の組成物。
【請求項４】
XDCにより測定されると、100％の粒子が、200ナノメーター未満である粒子サイズ分布をさらに有する、請求項１に記載の組成物。
【請求項５】
被験体の内部の炎症サイトにおける、血管の血液プール、蓄積されたプラーク、または蓄積されたマクロファージの画像を得て評価することにより被験体における炎症を評価するin vivoにおける方法であって、
ａ）100ナノメーター以下の平均直径を有するナノ粒子造影剤の有効量を前記の被験体に投与するステップであって、前記造影剤が6-エトキシ-6-オキソヘキシ-3,5-ビス（アセチルアミノ）-2,4,6-トリヨードベンゾエートであるステップ、
ｂ）前記造影剤の投与後、前記の被験体に存在し得る血管プラークにおけるマクロファージにより前記の造影剤が取り込まれるのに十分な時間待つステップ、及び
ｃ）前記のマクロファージに取り込まれた前記の造影剤を検出して、それにより前記被験体に存在し得る蓄積されたマクロファージの画像を得るステップ、
ｄ）前記の形成された画像に基づいて前記の被験体における血管疾患のリスクを予測するステップを含む、方法。
【請求項６】
前記ナノ粒子造影剤が、前記造影剤の100％が300ナノメーター以下の粒子サイズを有する粒子サイズ分布を有する、請求項５に記載の方法。
【請求項７】
前記造影剤が約100ナノメーターから150ナノメーターの間の平均粒子サイズを有し、粒子サイズの測定がXDC法により行われる、請求項６に記載の方法。
【請求項８】
前記造影剤が約100ナノメーター未満の平均粒子サイズを有し、粒子サイズの測定がXDC法により行われる、請求項６に記載の方法。
【請求項９】
前記炎症が腫瘍に対応している、請求項５に記載の方法。
【請求項１０】
前記炎症が血管系において存在している、請求項５に記載の方法。
【請求項１１】
前記炎症が血管プラークにある、請求項５に記載の方法。
【請求項１２】
前記炎症が感染症に対応している、請求項５に記載の方法。
【誤訳訂正書】
【提出日】平成23年7月15日(2011.7.15)
【誤訳訂正１】
【訂正対象書類名】明細書
【訂正対象項目名】０００２
【訂正方法】変更
【訂正の内容】
【０００２】
技術分野
本発明は、溶媒の生成方法に関する。一態様では、本発明は、メチルイソブチルカルビノール（ＭＩＢＣ）、およびイソブチルヘプチルケトン（ＩＢＨＫ）とトリメチルノナノール（ＴＭＮ）との混合物を生成するための方法に関し、別の態様では、本発明は、銅系触媒を用いたこれらの溶媒の製造方法に関する。さらに別の態様では、本発明は、単独のＭＩＢＣ、またはＩＢＨＫとＴＭＮとの混合物と組み合わせたＭＩＢＣの製造方法に関する。
【誤訳訂正２】
【訂正対象書類名】特許請求の範囲
【訂正対象項目名】全文
【訂正方法】変更
【訂正の内容】
【特許請求の範囲】
【請求項１】
イソブチルヘプチルケトンおよびトリメチルノナノール生成物に比べてメチルイソブチルカルビノール生成物の量を増加させる方法であって、前記生成物がどちらも反応温度を含む縮合／水素化／脱水反応条件下でメチルイソブチルケトンを水素およびＣｕ系縮合／水素化／脱水触媒と接触させることで得られる生成物であり、該方法は２００℃未満の反応温度を用いる工程を含み、前記増加は触媒がＣｕ系触媒でなくＮｉ系である点を除いて前記方法と同一の方法に対して測定されたものである、方法。
【請求項２】
前記反応温度が９０〜１５０℃である、請求項１に記載の方法。
【請求項３】
前記触媒が二元機能Ｃｕ系アルドール縮合触媒である、請求項２に記載の方法。
【請求項４】
メチルイソブチルカルビノール生成物に比べてイソブチルヘプチルケトンおよびトリメチルノナノール生成物の量を増加させる方法であって、前記生成物がどちらも反応温度を含む縮合／水素化／脱水反応条件下でメチルイソブチルケトンを水素およびＣｕ系縮合／水素化／脱水触媒と接触させることで得られる生成物であり、該方法は２００℃以上の反応温度を用いる工程を含み、前記増加は触媒がＣｕ系触媒でなくＮｉ系である点を除いて前記方法と同一の方法に対して測定されたものである、方法。
【請求項５】
前記反応温度が２００〜２４０℃である、請求項４に記載の方法。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
少なくとも１つのヒトインターロイキン−１７（ＩＬ−１７）拮抗薬を有効成分として含んでなる、少なくとも１つの形態の線維症にかかっている患者における少なくとも１つのＩＬ−１７の阻害用の製薬学的製剤であって、前記ＩＬ−１７が、ＩＬ１７Ａ、ＩＬ−１７Ｆ、又はこれらのムテインから選択される、上記の製薬学的製剤。
【請求項２】
ＩＬ−１７拮抗薬が、小分子及びタンパク質から選択される、請求項１に記載の製薬学的製剤。
【請求項３】
小分子が、少なくとも１つのＩＬ−１７受容体に対してＩＬ−１７を遮断する能力を有する、インドール誘導体、環状アミン誘導体、ウレイド誘導体、複素環式化合物、アニリド類、及び機能性ピロール類から選択される、請求項２に記載の製薬学的製剤。
【請求項４】
タンパク質が、可溶性受容体、抗体、ペプチド、それらの断片、又はそれらの融合タンパク質から選択される、請求項２に記載の製薬学的製剤。
【請求項５】
タンパク質が、前記タンパク質の血清半減期を延長させる化合物又はタンパク質を更に含む、請求項４に記載の製薬学的製剤。
【請求項６】
抗体が、少なくとも１つの重鎖可変領域及び少なくとも１つの軽鎖を含む少なくとも１つの可変領域を含み、かつ、配列番号１〜４の少なくとも１つと結合する、請求項４に記載の製薬学的製剤。
【請求項７】
抗体が、少なくとも１０-9Ｍ、少なくとも１０-10Ｍ、少なくとも１０-11Ｍ、又は少なくとも１０-12Ｍから選択される少なくとも１つの親和性でＩＬ−１７と結合する、請求項４に記載の製薬学的製剤。
【請求項８】
抗体が、少なくとも１つのＩＬ−１７ポリペプチドの少なくとも１つの活性を実質的に調節する、請求項４に記載の製薬学的製剤。
【請求項９】
小分子又はタンパク質が、少なくとも１つの製薬上許容できる担体又は希釈剤を更に含む組成物として供給される、請求項１に記載の製薬学的製剤。
【請求項１０】
検出可能な標識又はリポーター、ＴＮＦ拮抗薬、抗感染薬、循環器（ＣＶ）系薬、中枢神経系（ＣＮＳ）薬、自律神経系（ＡＮＳ）薬、呼吸器薬、胃腸（ＧＩ）管薬、ホルモン薬、体液又は電解質平衡薬、血管系作用薬、抗腫瘍薬、免疫調整薬、眼、耳又は鼻用薬、局所薬、栄養製品、サイトカイン、又はサイトカイン拮抗薬から少なくとも１つ選択された、少なくとも１つの（at least one at least one）化合物又はポリペプチドを更に含む、請求項１に記載の製薬学的製剤。
【請求項１１】
有効成分が、細胞、組織、器官又は動物１キログラム当たり０．００１〜５０ｍｇ投与される、請求項１に記載の製薬学的製剤。
【請求項１２】
製剤が、非経口、皮下、筋肉内、静脈内、関節内、気管支内、腹内、関節包内、軟骨内、洞内、腔内、小脳内、脳室内、結腸内、頚管内、胃内、肝臓内、心筋内、骨内、骨盤内、心膜内、腹腔内、胸膜内、前立腺内、肺臓内、直腸内、腎臓内、網膜内、脊髄内、液嚢内、胸郭内、子宮内、膀胱内、病巣内、ボーラス、膣内、直腸、口腔内、舌下、鼻腔内、又は経皮から選択される少なくとも１つの様式によリ患者に投与される、請求項１に記載の製薬学的製剤。
【請求項１３】
線維症が器官特異性線維症又は全身性線維症である、請求項１に記載の製薬学的製剤。
【請求項１４】
器官特異性線維症が、肺線維症、肝臓線維症、腎臓線維症又は腎線維症、心臓線維症、血管線維症、皮膚線維症、眼線維症、骨髄線維症、又はその他の線維症の少なくとも１つに関連する、請求項１３に記載の製薬学的製剤。
【請求項１５】
肺線維症が、薬剤誘発性肺線維症、喘息、サルコイドーシス、又は慢性閉塞性肺疾患の少なくとも１つに関連する、請求項１４に記載の製薬学的製剤。
【請求項１６】
肝臓線維症が、肝硬変、住血吸虫症、又は胆管炎の少なくとも１つに関連する、請求項１４に記載の製薬学的製剤。
【請求項１７】
肝硬変が、Ｃ型肝炎後肝硬変、原発性胆汁性肝硬変の少なくとも１つから選択される、請求項１６に記載の製薬学的製剤。
【請求項１８】
胆管炎が、硬化性胆管炎である、請求項１７に記載の製薬学的製剤。
【請求項１９】
腎臓線維症が、狼瘡性糸球体硬化症に関連する、請求項１４に記載の製薬学的製剤。
【請求項２０】
心臓線維症が、心筋梗塞の少なくとも１つの種類に関連する、請求項１４に記載の製薬学的製剤。
【請求項２１】
血管線維症が、血管形成術後動脈再狭窄、又はアテローム性動脈硬化の少なくとも１つに関連する、請求項１４に記載の製薬学的製剤。
【請求項２２】
皮膚線維症が、ケロイド、又は腎性線維形成性皮膚症の少なくとも１つに関連する、請求項１４に記載の製薬学的製剤。
【請求項２３】
眼線維症が、後眼窩線維症、白内障手術後又は増殖性硝子網膜症の少なくとも１つに関連する、請求項１４に記載の製薬学的製剤。
【請求項２４】
骨髄線維症が、特発性骨髄線維症又は薬剤誘発性骨髄線維症の少なくとも１つに関連する、請求項１４に記載の製薬学的製剤。
【請求項２５】
その他の線維症が、ペイロニー病、デュピュイトラン拘縮、又は皮膚筋炎から選択される、請求項１４に記載の製薬学的製剤。
【請求項２６】
全身性線維症が、全身性硬化症及び移植片対宿主病から選択される、請求項１３に記載の製薬学的製剤。
【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
化合物Aがネピカスタット、塩酸((S)-5-アミノメチル-l-(5,7-ジフルオロ-l,2,3,4-テトラヒドロナフタ-2-イル)-2,3-ジヒドロ-2-チオキソ-1H-イミダゾール、塩酸(R)-5-アミノメチル-l-(5,7-ジフルオロ-l,2,3,4-テトラヒドロナフタ-2-イル)-2,3-ジヒドロ-2-チオキソ-1H-イミダゾールおよびその混合物ならびにその医薬的に許容される塩からなる群から選択される、患者の心的外傷後ストレス障害の治療剤製造における化合物Aの使用。
【請求項２】
心的外傷後ストレス障害が少なくとも一つのカテコールアミンの異常脳内レベルを示す患者における障害であるか、
化合物Aが患者の脳内ドーパミンβヒドロキシラーゼ活性を軽減するか、
化合物Aが患者の少なくとも一つのカテコールアミンの脳内レベルを調節するか、あるいは
化合物Aが患者の記憶想起に伴うストレスを軽減する、請求項１記載の使用。
【請求項３】
化合物Aが患者の薬物乱用、アルコール乱用およびうつ病から選択される少なくとも一つの心的外傷後ストレス障害との合併障害の罹患率を軽減する、請求項１記載の使用。
【請求項４】
化合物Aが心的外傷後ストレス障害の少なくとも一つの兆候、症候および症候群を軽減し、改善する、請求項１記載の使用。
【請求項５】
化合物Aが患者の心的外傷後ストレス障害の少なくとも一つの頻度および強度の少なくとも一つの症候を軽減するか、あるいは
化合物Aが患者の心的外傷後ストレス障害の少なくとも一つの頻度および強度の少なくとも一つの症候群を軽減し、該症候群が再体験／侵入、回避／無感覚および過覚醒から選択される、請求項４記載の使用。
【請求項６】
ネピカスタット、塩酸((S)-5-アミノメチル-l-(5,7-ジフルオロ-l,2,3,4-テトラヒドロナフタ-2-イル)-2,3-ジヒドロ-2-チオキソ-1H-イミダゾール、塩酸(R)-5-アミノメチル-l-(5,7-ジフルオロ-l,2,3,4-テトラヒドロナフタ-2-イル)-2,3-ジヒドロ-2-チオキソ-1H-イミダゾールおよびその混合物ならびにその医薬的に許容される塩からなる群から選択される、患者の回復力を改善するための化合物A。
【請求項７】
化合物Aがベンゾジアゼピン、選択的セロトニン再取り込み阻害剤（SSRI）、セロトニン-ノルエピネフリン再取り込み阻害剤（SNRI）、ノルエピネフリン再取り込み阻害剤（NRI）、セロトニン5-ヒドロキシトリプタミン1A（5HT1A）アンタゴニスト、ドーパミンβ-ヒドロキシラーゼ阻害剤、アデノシンA2A受容体アンタゴニスト、モノアミンオキシダーゼ阻害剤（MAOI）、ナトリウム（Na）チャネル遮断薬、カルシウムチャネル遮断薬、中枢および末梢アルファアドレナリン受容体アンタゴニスト、中枢アルファアドレナリン作動性アゴニスト、中枢または末梢ベータアドレナリン受容体アンタゴニスト、NK-1受容体アンタゴニスト、コルチコトロピン放出因子（CRF）アンタゴニスト、非定型抗うつ剤／抗精神病薬、三環系抗うつ薬、抗痙攣剤、グルタミン酸アンタゴニスト、ガンマ-アミノ酪酸（GABA）アゴニストおよび部分的D2アゴニストから選択される治療的有効量の少なくとも一つの他の薬剤と併用される、請求項１〜５のいずれか記載の使用。
【請求項８】
ベンゾジアゼピン、選択的セロトニン再取り込み阻害剤（SSRI）、セロトニン-ノルエピネフリン再取り込み阻害剤（SNRI）、ノルエピネフリン再取り込み阻害剤（NRI）、セロトニン5-ヒドロキシトリプタミン1A（5HT1A）アンタゴニスト、ドーパミンβ-ヒドロキシラーゼ阻害剤、アデノシンA2A受容体アンタゴニスト、モノアミンオキシダーゼ阻害剤（MAOI）、ナトリウム（Na）チャネル遮断薬、カルシウムチャネル遮断薬、中枢および末梢アルファアドレナリン受容体アンタゴニスト、中枢アルファアドレナリン作動性アゴニスト、中枢または末梢ベータアドレナリン受容体アンタゴニスト、NK-1受容体アンタゴニスト、コルチコトロピン放出因子（CRF）アンタゴニスト、非定型抗うつ剤／抗精神病薬、三環系抗うつ薬、抗痙攣剤、グルタミン酸アンタゴニスト、ガンマ-アミノ酪酸（GABA）アゴニストおよび部分的D2アゴニストから選択される治療的有効量の少なくとも一つの他の薬剤と併用するための、請求項６記載の化合物A。
【請求項９】
少なくとも一つの他の薬剤がパロキセチン、セルトラリン、シタロプラム、エシタロプラムおよびフルオキセチンから選択されるSSRIである、請求項７記載の使用。
【請求項１０】
少なくとも一つの他の薬剤がデュロキセチン、ミルタザピンおよびベンラファクシンから選択されるSNRIである、請求項７記載の使用。
【請求項１１】
少なくとも一つの他の薬剤がブプロピオンおよびアトモキセチンから選択されるNRIである、請求項７記載の使用。
【請求項１２】
少なくとも一つの他の薬剤がドーパミンβ-ヒドロキシラーゼ阻害剤ジスルフィラムである、請求項７記載の使用。
【請求項１３】
化合物Aが患者の心的外傷後ストレス障害の少なくとも一つの頻度および強度の少なくとも一つの兆候を軽減する、請求項４記載の使用。
【請求項１４】
化合物Aが患者の心的外傷後ストレス障害の少なくとも一つの頻度および強度の少なくとも一つの兆候を軽減する、請求項６記載の化合物A。
【請求項１５】
化合物Aがネピカスタット、塩酸((S)-5-アミノメチル-l-(5,7-ジフルオロ-l,2,3,4-テトラヒドロナフタ-2-イル)-2,3-ジヒドロ-2-チオキソ-1H-イミダゾール、塩酸(R)-5-アミノメチル-l-(5,7-ジフルオロ-l,2,3,4-テトラヒドロナフタ-2-イル)-2,3-ジヒドロ-2-チオキソ-1H-イミダゾールおよびその混合物ならびにその医薬的に許容される塩からなる群から選択される；
心的外傷後ストレス障害の少なくとも一つの兆候、症候または症候群を分析し；
化合物Aが心的外傷後ストレス障害の少なくとも一つの兆候、症候および症候群を軽減する場合に患者の心的外傷後ストレス障害を診断するための薬剤製造における化合物Aの使用。
【請求項１６】
患者が小児、青年または成人である、請求項１または１５のいずれか記載の使用。
【請求項１７】
化合物Aが患者の心的外傷後ストレス障害の少なくとも一つの頻度および強度の少なくとも一つの兆候または症候を軽減し、該兆候または症候が解体または動揺した行動、心的外傷の態様を示す繰り返し遊び、明確な内容が欠如した恐ろしい夢、および心的外傷特異的再現から選択される、請求項１記載の使用。
【手続補正書】
【提出日】平成23年7月15日(2011.7.15)
【手続補正１】
【補正対象書類名】明細書
【補正対象項目名】００２１
【補正方法】変更
【補正の内容】
【００２１】
本発明の幾つかの特定の態様を説明してきたが、当業者であれば、種々の変更、修飾、及び改良を容易に行うであろう。そのような変更、修飾、及び改良は、本明細書の開示により明らかであるので、本明細書中に明示的に述べていないがこの説明の一部であると意図しており、本発明の精神及び範囲に含まれると意図している。したがって、前述の説明は、例としてのものに過ぎず、限定するものではない。本発明は、添付する特許請求の範囲とその均等物に定義されるとおりにのみ限定される。
［本発明の態様］
１．１，１，２，３−テトラクロロ−１−プロペンを製造するための方法であって、
気相においてＣＨ２ＣｌＣＣｌ２ＣＨ２Ｃｌを第一の触媒の存在下で脱塩化水素化して、ＣＨＣｌ＝ＣＣｌＣＨ２Ｃｌを含む第一の中間生成物を生成し；
前記第一の中間生成物のうち少なくとも一部のＣＨＣｌ＝ＣＣｌＣＨ２Ｃｌを塩素化して、ＣＨＣｌ２ＣＣｌ２ＣＨ２Ｃｌを含む第二の中間生成物を形成し；そして、
前記第二の中間生成物からの少なくとも一部のＣＨＣｌ２ＣＣｌ２ＣＨ２Ｃｌを気相において第二の触媒の存在下で脱塩化水素化してＣＣｌ２＝ＣＣｌＣＨ２Ｃｌを含む最終生成物を形成することを含む、前記製造方法。
２．前記最終生成物が、前記最終生成物中に存在する他のテトラクロロプロペン異性体と比較して、大部分のＣＣｌ２＝ＣＣｌＣＨ２Ｃｌを含む、請求項１記載の製造方法。
３．前記第一及び第二の触媒が、ハロゲン化された遷移金属酸化物及びその混合物、ルイス酸金属ハロゲン化物及びその混合物、ゼロ価の金属、金属合金及びその混合物、前処理した活性炭、及びこれらの混合物からなる群から選択される、２記載の製造方法。
４．前記第一及び第二の触媒のうち少なくとも一種が、Ｃｒ２Ｏ３、Ｆｅ２Ｏ３、Ａｌ２Ｏ３、ＮｉＯ２、ＭｏＯ３、ＷＯ３、ＴｉＯ２、Ｖ２Ｏ５、ＭｇＯ、Ｌｉ＋、Ｎａ＋、Ｋ＋、Ｍｇ＋、Ｃｓ＋、Ｃｅ４＋、Ａｌ３＋、Ｌａ３＋、ＡｌＣｌ３、ＡｌＦ３、ＦｅＣｌ３、ＣｒＦ３、ＬｉＦ、ＮａＦ、ＫＦ、ＣｓＦ、ＭｇＣｌ２、ＭｇＦ２、ＣａＦ２、ＬｉＣｌ、ＮａＣｌ、ＫＣｌ、ＣｓＣｌ、Ｐｄ、Ｐｔ、Ｒｈ、Ｆｅ、Ｃｏ、Ｎｉ、Ｃｕ、Ｍｏ、Ｃｒ、Ｍｎ、及び前処理した活性炭からなる群から選択される、３記載の製造方法。
５．前記第一及び第二の触媒のうち少なくとも一種が、担持されていない、３記載の製造方法。
６．前記第一及び第二の触媒のうち少なくとも一種が、担持されている、３記載の製造方法。
７．前記ＣＨ２ＣｌＣＣｌ２ＣＨ２Ｃｌの脱塩化水素化及び前記ＣＨＣｌ２ＣＣｌ２ＣＨ２Ｃｌの脱塩化水素化が、連続的な様式で行われる、１記載の製造方法。
８．前記ＣＨ２ＣｌＣＣｌ２ＣＨ２Ｃｌの脱塩化水素化及び前記少なくとも一部のＣＨＣｌ２ＣＣｌ２ＣＨ２Ｃｌの脱塩化水素化が、約１００℃〜約５００℃の温度で独立して行われる、１記載の製造方法。
９．前記少なくとも一部のＣＨＣｌ＝ＣＣｌＣＨ２Ｃｌの塩素化が、約３０℃〜約１５０℃の温度で行われる、１記載の製造方法。
１０．ＣＨ２＝ＣＨＣＨ２ＣｌをＣｌ２ガスの存在下で塩素化してＣＨ２ＣｌＣＨＣｌＣＨ２Ｃｌを含む第一の前駆体生成物を形成し；
前記第一の前駆体生成物のＣＨ２ＣｌＣＨＣｌＣＨ２Ｃｌの少なくとも一部を触媒により脱塩化水素化してＣＨ２ＣｌＣＣｌ＝ＣＨ２を含む第二の前駆体生成物を形成し；そして、
前記ＣＨ２ＣｌＣＣｌ＝ＣＨ２の少なくとも一部をＣｌ２ガスの存在下で塩素化して前記ＣＨ２ＣｌＣＣｌ２ＣＨ２Ｃｌを含む第三の前駆体生成物を形成する
ことを更に含む、１記載の製造方法。
【手続補正２】
【補正対象書類名】特許請求の範囲
【補正対象項目名】全文
【補正方法】変更
【補正の内容】
【特許請求の範囲】
【請求項１】
１，１，２，３−テトラクロロ−１−プロペンを製造するための方法であって、
気相においてＣＨ２ＣｌＣＣｌ２ＣＨ２Ｃｌを第一の触媒の存在下で脱塩化水素化して、ＣＨＣｌ＝ＣＣｌＣＨ２Ｃｌを含む第一の中間生成物を生成し；
前記第一の中間生成物のうち少なくとも一部のＣＨＣｌ＝ＣＣｌＣＨ２Ｃｌを塩素化して、ＣＨＣｌ２ＣＣｌ２ＣＨ２Ｃｌを含む第二の中間生成物を形成し；そして、
前記第二の中間生成物からの少なくとも一部のＣＨＣｌ２ＣＣｌ２ＣＨ２Ｃｌを気相において第二の触媒の存在下で脱塩化水素化してＣＣｌ２＝ＣＣｌＣＨ２Ｃｌを含む最終生成物を形成することを含む、前記製造方法。
【請求項２】
前記最終生成物が、前記最終生成物中に存在する他のテトラクロロプロペン異性体と比較して、大部分のＣＣｌ２＝ＣＣｌＣＨ２Ｃｌを含む、請求項１記載の製造方法。
【請求項３】
ＣＨ２＝ＣＨＣＨ２ＣｌをＣｌ２ガスの存在下で塩素化してＣＨ２ＣｌＣＨＣｌＣＨ２Ｃｌを含む第一の前駆体生成物を形成し；
前記第一の前駆体生成物のＣＨ２ＣｌＣＨＣｌＣＨ２Ｃｌの少なくとも一部を触媒により脱塩化水素化してＣＨ２ＣｌＣＣｌ＝ＣＨ２を含む第二の前駆体生成物を形成し；そして、
前記ＣＨ２ＣｌＣＣｌ＝ＣＨ２の少なくとも一部をＣｌ２ガスの存在下で塩素化して前記ＣＨ２ＣｌＣＣｌ２ＣＨ２Ｃｌを含む第三の前駆体生成物を形成する
ことを更に含む、請求項１記載の製造方法。